(57)【要約】【課題】低価格で使用者が好みに応じてカバー部材を簡単に交換できる。【解決手段】第１、第２ケース１、２がヒンジ部３によって回動可能に連結された電子辞書において、第１、第２ケース１、２の各外表面にそれぞれ装着されるカバー部材４が、第１、第２ケース１、２の互いに対応する個所にそれぞれ設けられた第１、第２係止突起１１、１２に係脱可能に係合する共通の第１、第２係合凹部１３、１４を備えている。従って、共通の第１、第２係合凹部１３、１４を第１、第２ケース１、２の第１、第２係止突起１１、１２に係合させて、カバー部材４を第１、第２ケース１、２にそれぞれ装着できるので、第１、第２ケース１、２に装着されるカバー部材４の共通化を図り、カバー部材４の低価格を図ることができ、またカバー部材４を第１、第２ケース１、２に簡単に装着できるので、使用者の好みに応じてカバー部材４を容易に且つ自由に交換できる。【選択図】        図４
2005005491.tif 000002
【特許請求の範囲】
【請求項１】
第１ケースと第２ケースとがヒンジ部によって回動可能に連結された折り畳み機器の前記第１、第２ケースの各外表面にそれぞれ装着されるカバー部材であって、
前記第１、第２ケースの互いに対応する個所にそれぞれ設けられた係止部に係脱可能に係合する共通の係合部を備え、これら共通の係合部を前記第１、第２ケースの前記係止部に係合させることにより、前記第１、第２ケースの各外表面にそれぞれ着脱可能に装着されることを特徴とするカバー部材。
【請求項２】
第１ケースと第２ケースとがヒンジ部によって回動可能に連結された折り畳み機器において、
前記第１、第２ケースの各外表面にそれぞれ装着されるカバー部材を備え、これらカバー部材は、前記第１、第２ケースの互いに対応する個所にそれぞれ設けられた係止部に係脱可能に係合する共通の係合部を有し、これら共通の係合部を前記第１、第２ケースの前記係止部に係合させることにより、前記第１、第２ケースの各外表面にそれぞれ着脱可能に装着されることを特徴とする折り畳み機器。
【請求項３】
前記第１、第２ケースに装着される前記カバー部材における前記ヒンジ部側に位置する個所の外表面には、凸状部が設けられていることを特徴とする請求項２に記載の折り畳み機器。
【請求項４】
前記カバー部材は、前記第１、第２ケースの前記係止部に係脱可能に係合する前記係合部が前記カバー部材の異なる複数個所に設けられ、前記第１、第２ケースの前記係止部に前記異なる複数個所の係合部のいずれかを選択して係合させることにより、前記第１、第２ケースの外表面に密着対応して装着する状態と、前記第１、第２ケースの外表面に対し前記ヒンジ部側に突出して装着する状態とのいずれかの状態で装着されることを特徴とする請求項２に記載の折り畳み機器。
【発明の詳細な説明】
【０００１】
【発明の属する技術分野】
この発明は、電子辞書や携帯電話機などの機器に用いられるカバー部材およびそれを用いた折り畳み機器に関する。
【０００２】
【従来の技術】
従来、携帯型の電子機器においては、機器ケースの外表面にカバー部材を設けて機器ケースを保護すると共に、このカバー部材に第１、第２支持板を回動可能に取り付けてスタンド機能を持たせたものがある（例えば、特許文献１参照。）。
【０００３】
【特許文献１】
特開２００２−３４１９６６号公報
【０００４】
【発明が解決しようとする課題】
しかしながら、この特許文献１の電子機器では、携帯するときに第１、第２支持板を折り畳むことにより、コンパクトに携帯することができ、また使用するときに第１、第２支持板を所定形状に展開することにより、スタンドとして機器ケースを立て掛けて使用することができるが、このような電子機器では、使用者の好みに応じて簡単に且つ自由にカバー部材を交換することができないという不都合があるほか、第１、第２支持板を備えているため、カバー部材のコストが高くなるという問題もある。
【０００５】
この発明の課題は、低価格で使用が好みに応じて簡単にカバー部材を交換できるようにすることである。
【０００６】
【課題を解決するための手段】
この発明は、上記課題を解決するために、次のような構成要素を備えている。なお、各構成要素には、後述する各実施形態の項で説明される各要素に付されている図面の参照番号などを括弧と共に付す。
請求項１に記載の発明は、図１〜図１１に示すように、第１ケース（１）と第２ケース（２）とがヒンジ部（３）によって回動可能に連結された折り畳み機器の前記第１、第２ケースの各外表面にそれぞれ装着されるカバー部材（４）であって、前記第１、第２ケースの互いに対応する個所にそれぞれ設けられた係止部（第１、第２係止突起１１、１２）に係脱可能に係合する共通の係合部（第１、第２係合凹部１３、１４）を備え、これら共通の係合部を前記第１、第２ケースの前記係止部に係合させることにより、前記第１、第２ケースの各外表面にそれぞれ着脱可能に装着されることを特徴とするカバー部材である。
【０００７】
この発明によれば、カバー部材が第１、第２ケースの互いに対応する個所にそれぞれ設けられた係止部に係脱可能に係合する共通の係合部を備え、これら共通の係合部を第１、第２ケースの各係止部に係合させることにより、第１、第２ケースの各外表面にそれぞれ装着されるので、第１、第２ケースの各外表面に装着されるカバー部材の共通化を図ることができ、これによりカバー部材の生産性および量産性が向上するので、カバー部材の低価格を図ることができると共に、第１、第２ケースの各係止部にカバー部材の係止部を係脱可能に係合させることにより、カバー部材を第１、第２ケースの各外表面にそれぞれ簡単に装着することができるので、使用者の好みに応じてカバー部材を容易に且つ自由に交換することができる。
【０００８】
請求項２に記載の発明は、図１〜図１１に示すように、第１ケース（１）と第２ケース（２）とがヒンジ部（３）によって回動可能に連結された折り畳み機器において、前記第１、第２ケースの各外表面にそれぞれ装着されるカバー部材（４）を備え、これらカバー部材が、前記第１、第２ケースの互いに対応する個所にそれぞれ設けられた係止部（第１、第２係止突起１１、１２）に係脱可能に係合する共通の係合部（第１、第２係合凹部１３、１４）を有し、これら共通の係合部を前記第１、第２ケースの前記係止部に係合させることにより、前記第１、第２ケースの各外表面にそれぞれ着脱可能に装着されるたことを特徴とする折り畳み機器である。
【０００９】
この発明によれば、請求項１に記載の発明と同様、カバー部材が第１、第２ケースの互いに対応する個所にそれぞれ設けられた係止部に係脱可能に係合する共通の係合部を備え、これら共通の係合部を第１、第２ケースの各係止部に係合させることにより、第１、第２ケースの各外表面にそれぞれ装着されるので、第１、第２ケースの各外表面に装着されるカバー部材の共通化を図ることができ、これによりカバー部材の生産性および量産性が向上するので、カバー部材の低価格を図ることができると共に、第１、第２ケースの各係止部にカバー部材の係合部を係脱可能に係合させることにより、カバー部材を第１、第２ケースの各外表面にそれぞれ簡単に装着することができるので、使用者の好みに応じてカバー部材を容易に且つ自由に交換することができる。
【００１０】
請求項３に記載の発明は、図８および図９に示すように、前記第１、第２ケース（１、２）に装着される前記カバー部材（４）における前記ヒンジ部（３）側に位置する個所の外表面に、凸状部（１５）が設けられていることを特徴とする請求項２に記載の折り畳み機器である。
この発明によれば、カバー部材を第１、第２ケースに装着して折り畳み機器を使用するときに、第１、第２ケースを所定角度に開いて第１、第２ケースの一方を卓上などの載置面に載置すると、その一方のケースに装着されたカバー部材におけるヒンジ部側に位置する個所の外表面に設けられた凸状部によって一方のケースを載置面上に傾斜させて配置することができ、このため一方のケースに例えばキー入力部が設けられていれば、そのキー入力部を手前側下がりに傾斜させることができるので、キー入力部の操作性を向上させることができる。
【００１１】
請求項４に記載の発明は、図１０および図１１に示すように、前記カバー部材（４）が、前記第１、第２ケース（１、２）の前記係止部（第１、第２係止突起１１、１２）に係脱可能に係合する前記係合部（第１、第２、第３係合凹部１３、１４、１８）を前記カバー部材の異なる複数個所に設け、前記第１、第２ケースの前記係止部に前記異なる複数の係合部のいずれかを選択して係合させることにより、前記第１、第２ケースの外表面に密着対応して装着する状態と、前記第１、第２ケースの外表面に対し前記ヒンジ部側に突出して装着する状態とのいずれかの状態で装着されることを特徴とする請求項２に記載の折り畳み機器である。
【００１２】
この発明によれば、第１、第２ケースの各係止部にカバー部材の複数の係合部のいずれかを選択して係合させることにより、第１、第２ケースの外表面に密着対応して装着する状態と、第１、第２ケースの外表面に対しヒンジ部側に突出して装着する状態とのいずれかの状態で装着されるので、使用するときに第１、第２ケースを所定角度に開き、これら第１、第２ケースの一方（例えば第１ケース１）を卓上などの載置面に配置する際、載置面上に配置される一方のケース（第１ケース１）にカバー部材をヒンジ部側に突出させた状態で装着することにより、ヒンジ部側に突出したカバー部材によって機器全体を載置面上に安定させて配置することができ、また第１、第２ケースを閉じて携帯するときには、カバー部材を第１、第２ケースの外表面にそれぞれ密着対応させた状態で装着することにより、機器全体をコンパクトにでき、これにより良好に携帯することができる。
【００１３】
【発明の実施の形態】
［第１実施形態］
以下、図１〜図７を参照して、この発明を電子辞書に適用した第１実施形態について説明する。
図１はこの発明の電子辞書の携帯時における平面図、図２は図１の側面図、図３は使用時における平面図、図４は図３の側面図である。
この電子辞書は、図１および図２に示すように、互いに重なり合う第１、第２ケース１、２を備え、この第１ケース１と第２ケース２とがヒンジ部３によって回動可能に連結され、第１、第２ケース１、２の各外表面にそれぞれ装飾用のカバー部材４が着脱可能に装着された構成になっている。
【００１４】
この場合、第１ケース１は、図３および図４に示すように、横長のほぼ平板状に形成されており、その内部には、キーボード５が第２ケース２に対向する第１ケース１の対向面（図４では上面）に露出した状態で設けられている。このキーボード５は、文字キー、カーソルキー、ファンクションキーなどの辞書機能に必要な各種のキーを備えている。また、第２ケース２は、図３および図４に示すように、第１ケース１とほぼ同じサイズの平板状に形成されており、その内部には、表示部６が第１ケース１に対向する第２ケース２の対向面（図４では上面）に露出した状態で設けられている。この表示部６は、液晶表示素子やＥＬ表示素子（エレクトロルミネッセンス表示素子）などの平面型の表示素子からなり、電気光学的に情報を表示するように構成されている。
【００１５】
ヒンジ部３は、図３および図４に示すように、第１ケース１の上辺部（図４では左端部）にその両端部を除いて設けられた第１凸部７と、第２ケース２の下辺部（図４では右下端部）の両側に設けられた第２凸部８とを備え、第１ケース１の第１凸部７を第２ケース２の両側の第２凸部８間に配置し、この状態で第１、第２凸部７、８を連結軸９で回動可能に連結した構成になっている。この場合、第１ケース１と第２ケース２とは、ヒンジ部３を介してフレキシブル配線基板などの接続部材（図示せず）によって電気的に接続されている。
【００１６】
カバー部材４は、図５〜図７に示すように、第１、第２ケース１、２の各外表面とほぼ同じ大きさの平板状に形成されており、その周囲には、ヒンジ部３側を除く第１、第２ケース１、２の各側面に対応する側壁部１０が形成されている。この側壁部１０には、第１、第２ケース１、２の互いに対応する個所に設けられた第１、第２係止突起１１、１２にそれぞれ係脱可能に係合する共通の第１、第２係合凹部１３、１４が設けられている。この場合、第１、第２ケース１、２の第１、第２係止突起１１、１２のうち、第１係止突起１１は、図３および図４に示すように、第１、第２ケース１、２の左右両側の各側面に互いに対応して設けられており、第２係止突起１２はヒンジ部３と反対側に位置する第１、第２ケース１、２の先端側の各側面に互いに対応して設けられている。
【００１７】
また、カバー部材４の第１、第２係合凹部１３、１４のうち、第１係合凹部１３は、図３および図４に示すように、第１、第２ケース１、２の左右両側の各側面に対応する側壁部１０に設けられ、第１係止突起１１が係脱可能に係合するように構成されており、第２係合凹部１４は、ヒンジ部３と反対側に位置する第１、第２ケース１、２の先端側の各側面に対応する側壁部１０に設けられ、第２係止突起１２が係脱可能に係合するように構成されている。すなわち、第１、第２係合凹部１３、１４は、各カバー部材４の同じ個所にそれぞれ設けられている。これにより、各カバー部材４は、図５〜図７に示すように、それぞれ同じ形状に形成され、且つ第１、第２ケース１、２の各外表面に同じ条件で共通に装着されるように構成されている。この場合、各カバー部材４は、それぞれ同じ形状であるが、その色彩は必ずしも同じである必要はなく、異なる色彩であっても良く、また異なる模様や図形が描かれていても良い。
【００１８】
このような電子辞書では、カバー部材４が第１、第２ケース１、２の各側面の互いに対応する個所にそれぞれ設けられた第１、第２係止突起１１、１２に係脱可能に係合する共通の第１、第２係合凹部１３、１４を備え、これら共通の第１、第２係合凹部１３、１４を第１、第２ケース１、２の第１、第２係止突起１１、１２に係合させることにより、第１、第２ケース１、２の各外表面にそれぞれ装着されるので、第１、第２ケース１、２の各外表面に装着されるカバー部材４の共通化を図ることができる。このため、カバー部材４の生産性および量産性を向上させることができるので、カバー部材４の低価格を図ることができると共に、第１、第２ケース１、２の第１、第２係止突起１１、１２にカバー部材４の第１、第２係合凹部１３、１４を係脱可能に係合させることにより、カバー部材４を第１、第２ケース１、２の各外表面にそれぞれ簡単に装着することができるので、使用者の好みに応じてカバー部材４を容易に且つ自由に交換することができる。
【００１９】
［第２実施形態］
次に、図８および図９を参照して、この発明を電子辞書に適用した第２実施形態について説明する。なお、図１〜図７に示された第１実施形態と同一部分には同一符号を付して説明する。
この電子辞書は、第１、第２ケース１、２のヒンジ部３側におけるカバー部材４の外表面に凸状部１５を設けた構造で、これ以外は第１実施形態と同じ構造になっている。すなわち、この凸状部１５は、図９に示すように、カバー部材４の外表面（同図では下面）に円弧状に突出して設けられている。また、この凸状部１５は、図８に示すように、第１、第２ケース１、２のヒンジ部３側（図９では左端側）に位置するカバー部材４の端部における両側、またはその端部に沿って設けられている。
【００２０】
このような電子辞書によれば、カバー部材４を第１、第２ケース１、２に装着して使用するときに、図８に示すように、第１、第２ケース１、２を所定角度に開いて第１、第２ケース１、２のうち、キーボード５が設けられた第１ケース１を卓上などの載置面１６上に載置すると、この第１ケース１に装着されたカバー部材４に設けられた凸状部１５によって第１ケース１を載置面１６上に所定角度θで傾斜させて配置することができる。すなわち、凸状部１５はヒンジ部３側に位置する個所のカバー部材４の外表面に設けられているため、第１ケース１のヒンジ部３側が高く、これと反対側に位置する第１ケース１の手前側（図８では右側）が低くなる。このため、第１ケース１が手前側下がり（図８では右下がり）に傾斜するので、これに伴ってキーボード５も手前下がりに傾斜することになり、これによりキーボード５の入力操作性を向上させることができる。
【００２１】
［第３実施形態］
次に、図１０および図１１を参照して、この発明を電子辞書に適用した第３実施形態について説明する。この場合にも、図１〜図７に示された第１実施形態と同一部分には同一符号を付して説明する。
この電子辞書は、第１、第２ケース１、２の第１、第２係止突起１１、１２に係脱可能に係合する第１、第２係合凹部１３、１４のほかに、第１係止突起１１に係脱可能に係合する第３係合凹部１８をカバー部材４の異なる位置に設けた構造で、これ以外は第１実施形態とほぼ同じ構造になっている。
【００２２】
すなわち、第３係合凹部１８は、図１１に示すように、第１、第２ケース１、２の左右両側の各側面に対応する側壁部１０における第１係合凹部１３よりもカバー部材４の先端側（図１１では右側）に離れた個所に設けられている。これにより、第３係合凹部１８は、図１０に示すように、カバー部材４を前後反転（同図では左右反転）させて第１ケース１に装着するときに、第１ケース１の第１係止突起１１に係脱可能に係合することにより、カバー部材４の先端側つまり第２係合凹部１４が設けられた先端部分をヒンジ部３側から後方（図１０では左側）に突出させた状態で、カバー部材４を第１ケース１に装着させるように構成されている。
【００２３】
このような電子辞書では、図１０に示すように、第１、第２ケース１、２にカバー部材４をそれぞれ装着して第１、第２ケース１、２を開き、この状態で第１ケース１を卓上などの載置面１６上に配置して使用するときに、第１ケース１にカバー部材４を前後反転させて装着すると共に、第２ケース２にカバー部材４を第１実施形態と同様に密着対応させて装着する。すなわち、第２ケース２では、その第１、第２係止突起１１、１２にカバー部材４の第１、第２係合凹部１３、１４を係合させることにより、カバー部材４を第２ケース２に密着対応させた状態で装着するが、第１ケース１では、その第１係止突起１１にカバー部材４の第３係合凹部１８のみを係合させることにより、カバー部材４の先端部つまり第２係合凹部１４が設けられた先端側をヒンジ部３側から後方（図１０では左側）に突出させた状態で、カバー部材４を第１ケース１に装着する。
【００２４】
このため、第１、第２ケース１、２を開いて第１ケース１を載置面１６上に載置すると、図１０に示すように、第１ケース１に装着されたカバー部材４の先端側がヒンジ部３側に突出しているので、このカバー部材４によって機器全体を載置面１６上に安定させて配置することができる。すなわち、第１、第２ケース１、２を開いて第１ケース１を載置面１６上に載置すると、第２ケース２が第１ケース１の後方（図１０では左側）に傾斜して起立するため、この第２ケース２によって第１ケース１の前側（図１０では右側）が浮き上がる方向に付勢されるが、第１ケース１に装着されたカバー部材４が第１ケース１の後方に突出しているため、この後方に突出したカバー部材４によって第１ケース１の前側の浮き上がりを阻止することができる。
【００２５】
これにより、第１、第２ケース１、２を開いて第１ケース１を載置面１６上に載置して使用するときに、第１、第２ケース１、２を載置面１６上に安定させることができるので、第１ケース１のキーボード５を良好にキー操作することができる。また、第１、第２ケース１、２を閉じて携帯するときには、各カバー部材４の第１、第２係合凹部１３、１４を第１、第２ケース１、２の第１、第２係止突起１１、１２にそれぞれ係合させて各カバー部材４を第１、第２ケース１、２に密着対応させた状態で装着することにより、第１実施形態と同様、機器全体をコンパクトにすることができ、これにより良好に携帯することができる。
【００２６】
なお、上記第１〜第３実施形態では、第１、第２ケース１、２に第１、第２係止突起１１、１２を設け、カバー部材４に第１、第２、第３係合凹部１３、１４、１８を設けた場合について述べたが、これに限らず、第１、第２ケース１、２に第１、第２係止凹部を設け、カバー部材４に第１〜第３係合突起を設けた構造でも良い。
また、上記第１〜第３実施形態では、折り畳み機器として、電子辞書に適用した場合について述べたが、これに限らず、例えば電子手帳や携帯電話機、あるいはＰＤＡ（パーソナル・デジタル・アシスタント）などの折り畳み式の電子機器にも広く適用することができる。
【００２７】
【発明の効果】
以上説明したように、この発明によれば、カバー部材が第１、第２ケースの互いに対応する個所にそれぞれ設けられた係止部に係脱可能に係合する共通の係合部を備え、これら共通の係合部を第１、第２ケースの各係止部に係合させることにより、第１、第２ケースの各外表面にそれぞれ着脱可能に装着されるので、第１、第２ケースの各外表面に装着されるカバー部材の共通化を図ることができ、これによりカバー部材の生産性および量産性が向上するので、カバー部材の低価格を図ることができると共に、第１、第２ケースの各係止部にカバー部材の係止部を係脱可能に係合させることにより、カバー部材を第１、第２ケースの各外表面にそれぞれ簡単に装着することができるので、使用者の好みに応じてカバー部材を容易に且つ自由に交換することができる。
【００２８】
この場合、第１、第２ケースに装着されるカバー部材におけるヒンジ部側に位置する個所の外表面に凸状部を設けたことにより、カバー部材を第１、第２ケースに装着して折り畳み機器を使用するときに、第１、第２ケースを所定角度に開いて第１、第２ケースの一方を卓上などの載置面に載置すると、その一方のケースに装着されたカバー部材におけるヒンジ部側に位置する個所の外表面に設けられた凸状部によって一方のケースを載置面上に傾斜させて配置することができ、このため一方のケースに例えばキー入力部が設けられていれば、そのキー入力部を手前側下がりに傾斜させることができるので、キー入力部の操作性を向上させることができる。
【００２９】
また、カバー部材は、第１、第２ケースの係止部に係脱可能に係合する係合部がカバー部材の異なる複数個所に設けられ、第１、第２ケースの係止部に複数の係合部のいずれかを選択して係合させることにより、第１、第２ケースの外表面に密着対応して装着する状態と、第１、第２ケースの外表面に対しヒンジ部側に突出して装着する状態とのいずれかの状態で装着されることにより、第１、第２ケースを開き、これら第１、第２ケースの一方を卓上などの載置面に配置して使用するときに、載置面上に配置される一方のケースにカバー部材をヒンジ部側に突出させた状態で装着すると、ヒンジ部側に突出したカバー部材によって機器全体を載置面上に安定させて配置することができ、また第１、第２ケースを閉じて携帯するときには、カバー部材を第１、第２ケースの外表面にそれぞれ密着対応させた状態で装着すると、機器全体をコンパクトにでき、これにより良好に携帯することができる。
【図面の簡単な説明】
【図１】この発明を電子辞書に適用した第１実施形態において第１、第２ケースを閉じて携帯するときの平面図。
【図２】図１の側面図。
【図３】図１の第１、第２ケースを開いて使用するときの平面図。
【図４】図３の側面図。
【図５】図２および図４の第１、第２ケースに装着されたカバー部材を示した正面図。
【図６】図５のＡ−Ａ矢視における断面図。
【図７】図５のＢ−Ｂ矢視における断面図。
【図８】この発明を電子辞書に適用した第２実施形態において第１、第２ケースを開いて使用する状態を示した側面図。
【図９】図８の第１、第２ケースに装着されるカバー部材の側面図。
【図１０】この発明を電子辞書に適用した第３実施形態において第１、第２ケースを開いて使用する状態を示した側面図。
【図１１】図１０の第１、第２ケースに装着されるカバー部材の側面図。
【符号の説明】
１  第１ケース
２  第２ケース
３  ヒンジ部
４  カバー部材
５  キーボード
６  表示部
７、８  第１、第２凸部
９  連結軸
１０  側壁部
１１、１２  第１、第２係止突起
１３、１４  第１、第２係合凹部
１５  凸状部
１６  載置面
１８  第３係合凹部
【図１】
2005005491.tif 000003
【図２】
2005005491.tif 000004
【図３】
2005005491.tif 000005
【図４】
2005005491.tif 000006
【図５】
2005005491.tif 000007
【図６】
2005005491.tif 000008
【図７】
2005005491.tif 000009
【図８】
2005005491.tif 000010
【図９】
2005005491.tif 000011
【図１０】
2005005491.tif 000012
【図１１】
2005005491.tif 000013